(57)【要約】      （修正有）【課題】演技者が装着して自身の手にあるツボを電気信号（電流パルス）で刺激することで、気功や太極拳の効果を増強させて血流やリンパ液の流れ、気の流れを正常化し、血液の循環の改善、ストレスの解消、および内臓疾患の改善等を可能とした電子グローブを提供する。【解決手段】導電性の布地で構成した電子グローブ１（１Ｌ，１Ｒ）は、装着した演技者の手の指を空気中に露出させる指穴２Ｌ１〜２Ｌ５、２Ｒ１〜２Ｒ５を有し、電源ユニット７から甲と掌に電気信号を印加する構成とすることで、手の甲と掌に分布するツボを刺激して、血流、リンパ液の流れ、気の流れを改善し気功や太極拳本来の作用との相乗効果を得ることを可能とする。【選択図】図１
0003208134.tif 000002
【実用新案登録請求の範囲】
【請求項１】
導電性の布地で形成され、使用者の手の甲側および掌側を周回して指を除く前記手を包む袋状本体部と、前記袋状本体部の一端に有して前記手を挿抜するための単一の口部と、前記口部とは反対側に指穴を有する電子グローブであって、
前記袋状本体部には、前記布地の導電性繊維に対して外部電源からの電気パルスを供給するための受電端子が設けられており、
前記指穴は、親指の第１関節と人差し指乃至小指の第１及び第２関節を含む指全体が露出する位置に有することを特徴とする電子グローブ。
【請求項２】
前記袋状本体部の前記掌側の内側で、当該掌の周囲端を残して当該周囲端から後退した内部領域に絶縁層を有し、前記内部領域における前記掌の表面と前記袋状本体部の前記掌側の内側が電気的に絶縁されていることを特徴とする請求項１に記載の電子グローブ。
【請求項３】
前記袋状本体部の前記甲側の内側で、当該甲の周囲端を残して当該周囲端から後退した内部領域に絶縁層を有し、前記内部領域における前記甲の表面と前記袋状本体部の前記甲側の内側が電気的に絶縁されていることを特徴とする請求項１又は２に記載の電子グローブ。
【請求項４】
前記導電性の布地が非導電性繊維と導電性繊維の混紡材で形成されていることを特徴とする請求項１乃至３の何れかに記載の電子グローブ。
【請求項５】
前記導電性の布地が導電性繊維で形成されていることを特徴とする請求項１乃至３の何れかに記載の電子グローブ。
【考案の詳細な説明】
【技術分野】
【０００１】
本考案は、使用者の手に分布する「ツボ」に電気的な刺激を与えることで血流や気の流れを改善する電子グローブに関する。
【背景技術】
【０００２】
人の体には多数の経穴（以下、ツボと称する）が分布している。ツボとは内臓と所定の経絡（気血経絡）を通して、その状態が皮膚の表面に現れる反応点であり、このツボを刺激することで、内臓への働きかけが可能になるといわれている。ツボは指を以ってさがし、ツボに指があたることで、内臓が反応し、その反応が指にもたらされて当該内臓の状態を知ることができると考えられている。
【０００３】
ツボの刺激は脊髄や中枢に伝えられ、その先の末梢神経、つまり指先へ刺激を伝えていく。ツボを刺激することで血行が正常化し、血液やリンパ液の循環がよくなり、頭の回転が促進されてストレスが解消され、また内臓疾患が改善される等の効果がある。気功や太極拳では、手等に分布する特定のツボを刺激することで上記した諸効果を得るものである。
【０００４】
人間の身体は、外部から微弱電流を流して刺激してやると、血液やリンパ液の流れがよくなると共に細胞が活性化されて、疲労回復、筋肉痛等の痛みの解消、美顔、痩身等の効果が得られることも知られている。これを利用する従来技術として、特許文献１を上げることができる。
【０００５】
特許文献１は、手袋（グローブ）の親指に一方の電極を、親指を除く指に他方の電極を設け、このグローブを装着した施術者が被施術者の身体の表面（例えば、顔面）にグローブを当て、一方の電極と他方の電極を介して交流電流を印加する美容器具を開示する。
【先行技術文献】
【特許文献】
【０００６】
【特許文献１】特開２０１２−１５２３５２号公報
【考案の概要】
【考案が解決しようとする課題】
【０００７】
前記した特許文献１に開示されたグローブは被施術者の顔面等に電気信号を印加して、皮膚を刺激して活性化する、所謂トリートメントを目的とする美容器具である。また、特許文献１に開示されたグローブは被施術者の体表面に電流を与えるものであり、このグローブを着用した施術者の身体（手、手指）に電気刺激を与えるものではない。さらに、施術者が非施術者のツボを目当てに電流を与える機能を有するものでもない。
【０００８】
気功や太極拳では、本人（気功や太極拳を演じる人、演技者、使用者とも称する）が自身の身体（特に手足）の血流などを意識して身体を動かす。このような運動において、自身の手等にあるツボを自身で刺激して血行の正常化、血液の循環の改善、ストレスの解消、および内臓疾患の改善を期待する考えは未だ存在していない。
【０００９】
本考案の目的は、演技者が装着して自身の手にあるツボを電気信号（電気パルス）で刺激することで、気功や太極拳の効果を増強させて血行や気の流れの正常化、血液やリンパ液の循環の改善、ストレスの解消、および内臓疾患の改善を可能とし、ツボの位置がわからない初心者でも、装着するだけでツボに刺激を与えることができる電子グローブを提供することにある。
【課題を解決するための手段】
【００１０】
上記目的を達成するため、本考案に係る電子グローブは、装着した演技者の手の指は露出させ、甲と掌に電気信号（電気パルス）を印加する構成とすることで、手の甲と掌に分布するツボを刺激して血流、リンパ液の流れ、気の流れを改善し気功や太極拳本来の作用との相乗効果を得ることを可能とした。
【００１１】
本考案の代表的な構成を列挙すれば、以下のとおりである。本考案の理解を容易にするため、主要な構成には実施例の符号を付与してある。なお、符号の付し方として、明細書および図面ともに、例えば、左手用と右手用からなる電子グローブ１について、左手用を１Ｌ、右手用を１Ｒのように左手用については“Ｌ”を、右手用については“Ｒ”付し、左手用１Ｌと右手用１Ｒを纏めて“１（１Ｌ，１Ｒ）”のように表記する場合もある。符号２以下についても同様とする。
【００１２】
導電性の布地で形成され、使用者の手の甲側および掌側を周回して指を除く前記手を包む袋状本体部２（２Ｌ、２Ｒ）と、前記袋状本体部の一端に有して前記手を挿抜するための単一の口部３（３Ｌ、３Ｒ）と、前記口部とは反対側に指穴２Ｌ１〜２Ｌ５、２Ｒ１〜２Ｒ５を有する電子グローブである。
【００１３】
前記袋状本体部の一部には、前記布地の導電性繊維に対して外部電源からの電気パルスを供給するための受電端子４（４Ｌ、４Ｒ）が設けられている。この受電端子４（４Ｌ、４Ｒ）は、前記袋状本体部の甲側に設けるのが望ましいが、掌側や当該袋状本体部の周囲領域（甲と掌の境界部分）であってもよく、あるいは前記口部に設けてもよい。
【００１４】
前記指穴は、親指の第１関節と人差し指乃至小指の第１及び第２関節の一部又は全部を含む指全体を露出させる位置に開口端を有している。
【００１５】
前記袋状本体部２（２Ｌ、２Ｒ）の前記掌側の内側で、当該掌の周囲端１０（１０Ｌ，１０Ｒ）から後退した内部領域に絶縁層８を有し、前記内部領域における前記掌の表面と前記袋状本体部２（２Ｌ、２Ｒ）の前記掌側の内側を電気的に絶縁した構成とすることもできる。
【００１６】
前記袋状本体部２（２Ｌ、２Ｒ）の前記甲側の内側で、当該甲の周囲端１０（１０Ｌ，１０Ｒ）から後退した内部領域に絶縁層９を有し、前記内部領域における前記甲の表面と前記袋状本体部２の前記甲側の内側を電気的に絶縁する構成とすることもできる。
【００１７】
前記導電性の布地が非導電性繊維と導電性繊維（銀：シルバーやステンレス等の金属ファイバー、導電性樹脂ファイバー、など）の混紡材で形成してもよいし、導電性繊維のみで形成してもよい。また、非導電性繊維で形成した後に導電性溶液（金属、導電性ポリマーなどの分散液等も含む）を含浸させて製作することもできる。なお、これらの布地は織布でも不織布でもよい。後述する本考案の実施例では、グローブの布地として、銀の繊維（シルバーファイバー）をナイロン繊維に混紡したものを用いた。その混紡比率は、銀繊維が３０乃至４０％、ナイロン繊維が６０乃至７０％とした。これは一例にすぎない。
【００１８】
上記の「指全体が露出する」とは、親指については第２関節よりも先、人差し指、中指、薬指および小指は第３関節よりも先が空気に触れる状態を意味する。本考案に係る電子グローブは、手を挿抜するための口部（カフオープニング）と指を露出させるための穴（指穴：フィンガーオープニング）を備えた、所謂フィンガーレスグロ−ブである。
【００１９】
後述する実施例では、前記指穴は、親指を露出させる親指穴と親指を除く他の指を露出させる１又は複数の指穴からなる。前記した「指全体が露出する」については、親指穴は親指の第２関節が露出せず、又は第２関節よりも先が露出し、あるいは第２関節が半露出する如く形成される。すなわち、親指はその第２関節よりも先の部分が露出する構成とし、人差し指、中指、薬指および小指については、それらの第３関節が露出せず、又は第３関節よりも先が露出し、あるいは第３関節が半露出する如く構成した。
【００２０】
本考案は、上記の構成および後述する実施例の構成に限定されるものではなく、本考案の技術思想を逸脱しない範囲で種々の変更が可能である。
また、本考案は使用者の手に分布するツボに電気的な刺激を与えることで血流、リンパ液流、気の流れを改善するものであるが、上記の構成及び後述する実施例を構成する技術思想は、手同様に多数のツボが分布する足に使用する靴下やブーツについても実施可能である。
【考案の効果】
【００２１】
本考案に係る電子グローブは、演技者（気功や太極拳を演ずる人）が装着して自身の手にあるツボを電気信号（電気パルス）で刺激することで気功や太極拳の効果が増強される。ツボの位置がわからない初心者でも、本考案の電子グローブを装着するだけでツボに刺激を与えることができる。これにより、血行の正常化、血液やリンパ液の循環の改善、ストレスの解消、および内臓疾患の改善が可能となる。具体的な効果は後述する実施例の欄で説明される。
【図面の簡単な説明】
【００２２】
【図１】本考案に係る電子グローブの第１実施例を説明する全体構成図である。
【図２】本考案の第１実施例に係る電子グローブを演技者の手に装着した状態の説明図である。
【図３】本考案の第２実施例に係る電子グローブを演技者の手に装着した状態を左手のみで示した説明図である。
【図４】本考案の第３実施例に係る電子グローブを演技者の手に装着した状態を右手のみで示した説明図である。
【図５】本考案の第４実施例に係る電子グローブを左手用で示す構成図である。
【図６】本考案に係る電子グローブの第５実施例を説明する全体構成図である。
【考案を実施するための形態】
【００２３】
以下、本考案の実施の形態について、実施例の図面を参照して詳細に説明する。
【実施例１】
【００２４】
図１は、本考案に係る電子グローブの第１実施例を説明する全体構成図である。図１には給電コードや電源ユニットを示してあるが、これらは他の実施例においても同様に用いられるものである。なお、電源ユニットはポータブルであり、リチューム・イオン電池等のリチャージャブル電池を内蔵させるのが好適である。
【００２５】
図１において、参照符号１は本考案に係る電子グローブで、同図（ａ）は左手用１Ｌ、（ｂ）は右手用１Ｒを示す。また、（ｃ）は給電システムの一例である。この電子グローブ１の構成を左手用の電子グローブ１Ｌを代表して説明する。右手用１Ｒは「Ｌ」を「Ｒ」に読み替えることで理解される。以下でも、特に必要がある場合を除いて主として左手用で説明する。
【００２６】
電子グローブ１Ｌは、所謂フィンガーレス（指なし）型であり、導電性の布地で形成される。そして、使用者（演技者とも称する、以下演技者）が着用した状態では、その手の甲側および掌側を周回して指を除く前記手を包む袋状の本体部２Ｌと、前記本体部２Ｌの一端に有して前記手を挿抜するための単一の口部（所謂、カフオープニング）３Ｌ、および前記口部３Ｌとは反対側に親指穴２Ｌ１、指穴２Ｌ２〜２Ｌ５を有する。
【００２７】
親指穴２Ｌ１は演技者の親指を露出させる親指穴、指穴２Ｌ２、２Ｌ３、２Ｌ４、２Ｌ５は人差指穴、中指穴、薬指穴、小指穴でそれぞれが独立した指穴となっている。領域Ａは人差指、中指、薬指、小指の各第３関節の位置で、これらの第３関節付近より指先側が空気中に露出するようになっている。領域Ｂは親指の第２関節の位置に当たり、この第２関節付近よりも指先側が空気中に露出するようになっている。
【００２８】
前記袋状本体部２Ｌの甲側の一部には、前記布地の導電性繊維に対して電源ユニット（外部電源）７からの電気信号（電流パルス）を供給するための受電端子４Ｌが設けられている。この電源ユニット７と受電端子４Ｌとは給電コード６Ｌで連絡される。給電コード６Ｌの一端には受電端子４Ｌと着脱可能な給電端子５Ｌを有し、他端には電源ユニット７のプラグ１６Ｌに接続している。この実施例では、受電端子４Ｌと給電端子５Ｌは既知のスナップ端子を採用しているが、他の既知の接続端子であってよい。電源ユニット７は演技者の体の一部（例えば、ベルトなど）に取付けできるような適宜の手段を備えているのが望ましい。
【００２９】
本体部２Ｌと口部３Ｌは一体的に編み込みするのが望ましい。また、この口部３Ｌを本体部と別個に作っておき、両者を縫い合わせて一体化し、あるいは接着して一体化した構成とすることもできる。
なお、上記の口部３Ｌは本体部２Ｌを延長させたものとしてよく、特に本体部２Ｌと口部３Ｌを区別する必要はない。
【００３０】
図２は、本考案の第１実施例に係る電子グローブを演技者の手に装着した状態で説明する図で、図１と同一部分には同一参照符号を付してある。本実施例では、親指ＦＬ１、人差指ＦＬ２、中指ＦＬ３、薬指ＦＬ４、小指ＦＬ５を、図１に示したそれぞれの指穴２Ｌ１、２Ｌ２、２Ｌ３、２Ｌ４、２Ｌ５に通して指先を空気中に露出させている。このとき、親指ＦＬ１の第２関節は領域Ｂ付近に位置し、人差指ＦＬ２、中指ＦＬ３、薬指ＦＬ４、小指ＦＬ５の第３関節は領域Ａ付近に位置する。
【００３１】
演技者は電子グローブ１を両手に装着して、そのスナップ受電端子４Ｌに電源ユニット７に繋がる給電コード６Ｌのスナップ給電端子５Ｌを接続する。電源ユニット７に設けた電源スイッチをオンにし、調整つまみで所要の電圧レベル、周波数の電流値に設定する。電源ユニット７からは所定の周波数と電流値の電気パルスが袋状本体部２Ｌに供給される。上記の電圧レベルや周波数は、予め設定された１又は複数のモードを演技者が選択する方式とすることができる。
【００３２】
親指ＦＬ１の第１関節と人差指ＦＬ２、中指ＦＬ３、薬指ＦＬ４、小指ＦＬ５の第１関節と第２関節が空気に触れ、指の動きが自由になり、開放感とリラックス感が生まれる。一方、両手の手の甲、掌は電流パルスで刺激される。
【００３３】
手の甲、掌にはツボが多数あり、このツボを電流パルスで刺激することで血流、リンパ液流、気の流れが改善される。両手の甲には、それぞれ３本の経路が走っており、それらの経路上にツボが存在する。ツボの位置が判らない初心者でも本実施例の電子グローブを用いることで、それらのツボを電気パルスで刺激することができ、気功や太極拳の効果を実感することができる。
【００３４】
このように、本実施例によれば、電子グローブを装着して通電するのみで、両手のツボを刺激することができ、気功や太極拳の本来の効果を増加することができる。
【実施例２】
【００３５】
図３は、本考案の第２実施例に係る電子グローブを演技者の手に装着した状態を左手のみで示した説明図である。本実施例は、前記した実施例と同様の左手用の電子グローブ１Ｌにおいて、その本体部２Ｌの掌部分の内側、すなわち本体部２Ｌの導電性の布地と掌との間に絶縁層（掌側絶縁層）８を設けたものである。右グローブ１Ｒについても同様である。この掌側絶縁層８は、絶縁性の織物や不織布、あるいは絶縁性のゴムやプラスチックシートなどを採用できる。掌側絶縁層８は掌の周囲端１０Ｌより後退した部分に設けて、当該周囲端１０Ｌは掌と接するようになっている。この掌側絶縁層８として、本実施例では絶縁性プラスチックシートを貼りつけて構成した。掌側絶縁層８としては、伸縮性の絶縁素材、例えばジャージ素材のアイロン貼り付けシート、ラテックス等のラバー素材などを用いることもできる。
【００３６】
この電子グローブを両手に装着した状態で通電すると、掌の面には電気刺激を受けない。甲の全面と上記掌の周囲端１０Ｌ，１０Ｒでは電気刺激を受ける。そして、この電子グローブを演技者の体の他の部位（腕とか脚など）に当てることで、掌側絶縁層８の表面側領域（導電性の部分）から当該他の部位のツボに電気信号が与えられ、そのツボに関連する体組織の血流や気の流れが改善される。
【００３７】
電子グローブを当てた体への刺激は、抑える力によって変化する。通常、掌の電気抵抗は低く、多くの電流がながれる。この掌の部分を絶縁することで、掌に当てた部位（腕とか脚など）の電気抵抗をＲ１、手の甲側の電気抵抗をＲ２としたとき、Ｉ（電流すなわち刺激感）＝Ｖ（印加した電気パルスの電圧）／（Ｒ１＋Ｒ２）の刺激電流が印加される。絶縁層によって掌との間の抵抗Ｒ１は大きいため、電子グローブを当てた体の部位には絶縁層がない場合に掌に流れるものと同等の電気パルスが腕とか脚などに印加され、当該部位にあるツボが刺激されることになる。
【００３８】
本実施例によれば、電子グローブを装着して通電するのみで、手の甲にあるツボを刺激するのみならず、この電子グローブを当てた体の他の部位のツボに関連する体の組織の血流、リンパ液流、気の流れを改善し、気功や太極拳の本来の効果に相乗した効果を容易に得ることができる。
【実施例３】
【００３９】
図４は、本考案の第３実施例に係る電子グローブを演技者の手に装着した状態を右手のみで示した説明図である。本実施例については、演技者の右手に装着する電子グローブで説明する。この電子グローブ１Ｒの手の甲の内側に絶縁層（甲側絶縁層）９を設けたものである。甲側絶縁層９は本体部２Ｒの導電性の布地と手の甲との間に設けられる。左グローブ１Ｌについても同様である。この甲側絶縁層９の絶縁素材は、実施例２と同様に、絶縁性の織物や不織布、あるいは伸縮性のある絶縁性のゴムやプラスチックシートなどを採用できる。甲側絶縁層９は甲の周囲端１０Ｒより甲の内方に後退した部分に設けられる。当該周囲端１０Ｒは甲と接するようになっている。この甲側絶縁層９として、本実施例では絶縁性かつ伸縮性のプラスチックシートを貼りつけて構成した。
【００４０】
この電子グローブを両手に装着した状態で通電すると、演技者の甲の面は電気刺激を受けず、掌の全面と上記甲の周囲端１０Ｒが電気刺激を受ける。そして、この電子グローブを演技者の体の他の部位（腕や脚部など）にあてることで、その部位のツボに電気信号を与え、その部位に関連する体組織の血流や気の流れが改善される。甲側絶縁層９により、手の甲の当該甲側絶縁層９が無い場合に手の甲にながれるべき電流は手の甲に流れず、掌側の電流に重畳して上記他の部位（腕や脚部など）に流れ、その部位のツボの刺激値を高める。
【００４１】
本実施例によれば、電子グローブを装着して通電するのみで、手の掌のツボを刺激するのみならず、この電子グローブを当てた他のツボに関連する体の組織の血流、リンパ液流、気の流れを大幅に改善し、気功や太極拳の本来の効果を増加することができる。
【実施例４】
【００４２】
図５は、本考案の第４実施例に係る電子グローブを左手用で示す構成図である。本実施例については、演技者の右手に装着する電子グローブで説明する。左グローブ１Ｌについても同様である。本実施例の右手用の電子グローブは親指の指孔２Ｒ１と、人差指、中指、薬指、および小指を共通に露出させる一つの大穴（の指穴）２Ｒｍを有している。その他の構成は図１に示した実施例と同様である。図５中、符号Ａは、この電子グローブを演技者が装着したとき、その人差指、中指、薬指、および小指の各第３関節がほぼ位置する領域を、同Ｂは親指の第２関節がほぼ位置する位置を示す。
【００４３】
なお、図５の大穴２Ｒｍは、人差指、中指、薬指、および小指を共通に露出させる一つ穴としたが、例えば、図５の符号Ｃ部分を綴じて人差指と中指の２本の指用の指穴、薬指と小指の２本の指用の指穴に分割したものとしてもよい。さらに、図５の符号Ｄ部分を綴じて小指用の指穴とすることもできる。その他、人差指、中指、薬指、および小指について３本と１本を通すように、大穴の指穴２Ｒｍを適宜に綴じたものとすることもできる。また、図５に示した電子グローブに前記図３４または図４で説明した絶縁層を設けることもできる。
【００４４】
本実施例によっても、この電子グローブを当てた他のツボに関連する体の組織の血流、リンパ液流、気の流れを改善し、気功や太極拳の本来の効果に相乗した効果を容易に得ることができる。
【００４５】
上記した各実施例の電子グローブを適宜組み合わせて使用してもよいことは言うまでもない。
【実施例５】
【００４６】
図６は、本考案に係る電子グローブの第５実施例を説明する全体構成図である。本実施例は電子グローブに電気パルスを供給する電源ユニット部分の図１と異なる実施例である。
【００４７】
電子グローブの口部３Ｌ、３Ｒには、前記布地の導電性繊維に対して電源ユニット（外部電源）７からの電気信号（電流パルス）を供給するための給電コード６Ｌ、６Ｒの一端が固定されている。この固定は、電気溶接や接着剤、あるいはハトメ接続などでよい。給電コード６Ｌ、６Ｒの他端は電源ユニット７にプラグ１６Ｌ、１６Ｒで接続されている。この固定部は、口部３Ｌ、３Ｒに限るものではなく、袋状本体部２（２Ｌ，２Ｒ）の一部とすることもできる。
【００４８】
本実施例によっても、前記実施例１と同様に、電子グローブを当てた他のツボに関連する体の組織の血流、リンパ液流、気の流れを改善し、気功や太極拳の本来の効果に相乗した効果を容易に得ることができる。
【符号の説明】
【００４９】
１（１Ｌ，１Ｒ）・・・電子グローブ
２（２Ｌ，２Ｒ）・・・本体部
３（３Ｌ，３Ｒ）・・・口部（カフオープニング）
４（４Ｌ，４Ｒ）・・・受電端子（グローブ側のスナップ端子）
５（５Ｌ，５Ｒ）・・・給電端子（給電コード側のスナップ端子）
６（６Ｌ，６Ｒ）・・・給電コード
７・・・電源ユニット
８・・・掌側絶縁層
９・・・甲側絶縁層
１０（１０Ｌ，１０Ｒ）・・・周囲端
１６（１６Ｌ，１６Ｒ）・・・プラグ
【図１】
0003208134.tif 000003
【図２】
0003208134.tif 000004
【図３】
0003208134.tif 000005
【図４】
0003208134.tif 000006
【図５】
0003208134.tif 000007
【図６】
0003208134.tif 000008